(57)【要約】【課題】パイプ足場の組み立てにおけるパイプへのロープの取付作業の容易化のための優れた機能を具備する。【解決手段】２つのフック板部１２、１３のフック部１６、１７はパイプを保持する円弧部をそれぞれ備えており、弾性板部片２は、２つのフック部に抱えられてこれらフック部の円弧部で保持されるパイプの周方向外周部を該フック部の円弧部に押し当てる押圧力をパイプに付与してパイプ外周部に円弧部を介して取付金具を固定し、パイプに付与した押し当てる押圧力の解除によりパイプ外周部による円弧部を介した取付金具の固定を解除する手段を備えており、ロープ保持部３は、ロープ取付金具を固定したパイプを取付金具を介して他の部材に保持もしくは連結させるためのロープ掛け構造を備えた。【選択図】図２
2008038390.tif 000002
【特許請求の範囲】
【請求項１】
中央基板部と、該中央基板部の一面側の両辺縁部から互いに相対向して起立するフック部を有する２つのフック板部と、中央基板部の一面側の面上に設けられた弾性板部片と、中央基板部の他面側から起立する板部材であるロープ保持部とからなるロープ取付金具において、
前記２つのフック板部のフック部は、これらフック部が互いにパイプの周方向外周部を逆方向から抱えることで該パイプを保持する円弧部をそれぞれ備えており、前記弾性板部片は、前記２つのフック部に抱えられてこれらフック部の円弧部で保持されるパイプの周方向外周部を該フック部の円弧部に押し当てる押圧力を該パイプに付与して該パイプ外周部に円弧部を介して前記取付金具を固定し、該パイプに付与した前記押圧力の解除により該パイプ外周部による円弧部を介した該取付金具の固定を解除する手段を備えており、また、前記ロープ保持部は、ロープ取付金具を固定した前記パイプを該取付金具を介して他の部材に保持、もしくは連結させるためのロープ掛け構造を備えていることを特徴とするロープ取付金具。
【請求項２】
前記２つのフック部のそれぞれの、前記パイプを保持する円弧部は、該円弧部の開放口である切欠き口を通して前記パイプの側部への嵌合を可能とし、このために該切欠き口は前記パイプの外径を十分に通過させる大きさであることを特徴とする請求項１に記載のロープ取付金具。
【請求項３】
前記ロープ取付金具が固定された前記パイプを該取付金具を介して他の部材に保持、もしくは連結させるためのロープ保持部の前記ロープ掛け構造は、板部材からなる前記ロープ保持部の互いに対向する両辺縁部に設けられたロープ挿入のための切り口を有する２つの孔を備え、一方の孔は、ロープ一端の結び端を掛け止めて該ロープを通過させる孔であり、他方の孔は、前記一方の孔を通過して両孔間を跨いで延長した該ロープを通過させる孔であることを特徴とする請求項１又は２に記載のロープ取付金具。
【発明の詳細な説明】
【技術分野】
【０００１】
本発明はパイプ足場の組立て等に用いられるロープの取付金具に関する。
【背景技術】
【０００２】
建築現場等で使用されるパイプ足場の組み立てには、種々様々な態様で用いられる多くのパイプ接続金具や取付金具が必要とされ、ロープ取付金具としては、例えば、パイプ足場の組み立てにおいて、パイプ支柱間に周知の張設金具であるターンバックルを使用したロープやワイヤを張り、これによりパイプ支柱を互いに支える組み立て技術等において、そのパイプ支柱へのロープやワイヤの取付けによく用いられる２つ割りのロープ取付金具等が知られている。
【０００３】
この２つ割りのロープ取付金具は、ロープやワイヤ掛けのための穴やフック部を有する部片を持つ締め金具であり、パイプ支柱に嵌めてネジ締め固定する構造を備えるものである。
【特許文献１】特開２００２−２６６４２３公報
【発明の開示】
【発明が解決しようとする課題】
【０００４】
パイプ足場に限られることではないが、組み立て足場における組み立ての容易化や組み立て時間の短縮化は、組み立て足場における安全性の確保のための強化策や低コスト化と共に常に求められる重要課題である。
【０００５】
そして、組み立て足場における足場の組み立ての容易化や組み立て時間の短縮化はまさに、足場組み立てのための足場材の接続や取付けを如何に効率化するかの改善策の探求であり、とりわけ、接続や取付けのための金具を多用するパイプ足場の組み立てにおいては、組み立てに用いる金具の種類、つまり接続や取付けのための金具の使い勝手の良し悪しやこれら金具が具備する機能によりその組み立て効率が大きく左右されることから、上述の改善策の視点は該金具の使い勝手や機能の改良に向けられている。
【０００６】
ところで、パイプ支柱へのロープやワイヤの取付けに用いられる上述の公知の２つ割りの締め金具であるロープ取付金具は、パイプに嵌めた締め金具をネジ締めする構造を備えるから締め金具のパイプへの取付けは比較的強固になされ、組み立て足場の組み付け強化という視点からはそれなりに評価されるところである。
【０００７】
しかしながら、その反面、２つ割りの締め金具をパイプ外周部に嵌め込みネジ締めする作業は相当面倒であり、この金具はその使い勝手が良好であるとは言えず、この金具のパイプへの取付け作業の作業性の悪さは、結果として足場の組み立てに長時間を要することになり、足場の組み立て作業の効率化と組み立てコストの低減化という面で課題を残している。
【０００８】
本発明は、パイプ足場の組み立てに用いられるロープやワイヤの取付金具における上述の問題点の解消が図られた該取付金具の提供をその課題とするものであり、組み立てパイプ足場の安全性の確保が第一とされる中で、安全性の確保は当然の前提条件とされて、パイプ足場の組み立てにおける組み立て作業の容易化と組み立て時間の短縮化に改良の視点がおかれたロープ取付金具の提供に関し、パイプ足場の組み立てにおけるパイプへのロープの取付作業の容易化のための優れた機能を具備し、しかも構造が簡単で安価で使い勝手の良好なロープ取付金具を提供することにある。
【課題を解決するための手段】
【０００９】
前記課題を解決するため、請求項１に係る発明は、中央基板部と、該中央基板部の一面側の両辺縁部から互いに相対向して起立するフック部を有する２つのフック板部と、中央基板部の一面側の面上に設けられた弾性板部片と、中央基板部の他面側から起立する板部材であるロープ保持部とからなるロープ取付金具において、前記２つのフック板部のフック部は、これらフック部が互いにパイプの周方向外周部を逆方向から抱えることで該パイプを保持する円弧部をそれぞれ備えており、前記弾性板部片は、前記２つのフック部に抱えられてこれらフック部の円弧部で保持されるパイプの周方向外周部を該フック部の円弧部に押し当てる押圧力を該パイプに付与して該パイプ外周部に円弧部を介して前記取付金具を固定し、該パイプに付与した前記押し当てる押圧力の解除により該パイプ外周部による円弧部を介した該取付金具の固定を解除する手段を備えており、また、前記ロープ保持部は、ロープ取付金具を固定した前記パイプを該取付金具を介して他の部材に保持、もしくは連結させるためのロープ掛け構造を備えていることを特徴とする。
【００１０】
請求項２に係る発明は、前記請求項１に記載の発明において、前記２つのフック部のそれぞれの、前記パイプを保持する円弧部は、該円弧部の開放口である切欠き口を通して前記パイプ側部への嵌合を可能とし、このために該切欠き口は前記パイプの外径を十分に通過させる大きさであることを特徴とする。
【００１１】
請求項３に係る発明は、前記請求項１または２に記載の発明において、前記ロープ取付金具が固定された前記パイプを該取付金具を介して他の部材に保持、もしくは連結させるためのロープ保持部の前記ロープ掛け構造は、板部材からなる前記ロープ保持部の互いに対向する両辺縁部に設けられたロープ挿入のための切り口を有する２つの孔を備え、一方の孔は、ロープ一端の結び端を掛け止めて該ロープを通過させる孔であり、他方の孔は、前記一方の孔を通過して両孔間を跨いで延長した該ロープを通過させる孔であることを特徴とする。
【発明の効果】
【００１２】
請求項１に係る発明によれば、前記ロープ取付金具において、前記２つのフック板部のフック部は、これらフック部が互いにパイプの周方向外周部を逆方向から抱えることで該パイプを保持する円弧部をそれぞれ備えており、前記弾性板部片は、前記２つのフック部に抱えられてこれらフック部の円弧部で保持されるパイプの周方向外周部を該フック部の円弧部に押し当てる押圧力を該パイプに付与して該パイプ外周部に円弧部を介して前記取付金具を固定し、該パイプに付与した前記押し当てる押圧力の解除により該パイプ外周部による円弧部を介した該取付金具の固定を解除する手段を備えており、また、前記ロープ保持部は、ロープ取付金具を固定した前記パイプを該取付金具を介して他の部材に保持、もしくは連結させるためのロープ掛け構造を備えているので、パイプに取付けられるロープ取付金具は、２つのフック部により互いに逆方向からパイプを抱えて、該パイプを弾性板部片による押圧力の付与でその周方向外周部を円弧部に押し当てるから前記取付金具はパイプに強固に固定される。
【００１３】
つまり、前記パイプへのロープ取付金具の固定は、円弧部とパイプ外周部の接触域（周方向の所定長さに亘る領域）が大きく確保される状態でなされるので強固なものとなる。また、前記押圧力の付与の解除でパイプへの固定が容易に解除されるからロープ取付金具のパイプへの取付・取外しが容易化される。そして、ロープ取付金具のロープ保持部に予め掛け止められたロープは、該ロープ取付金具のパイプへの取付・取外しを通してきわめて容易に該パイプに対して取付・取外しできることになるので、パイプへのロープの取付けに要する時間の短縮化が図られる。
【００１４】
さらに、パイプに取付けられたロープ取付金具はロープ保持部を備えているので、ロープ保持部に掛け止められたロープを介して前記パイプを適宜他の部材に保持、もしくは連結させることができる。
【００１５】
請求項２に係る発明によれば、前記請求項１に記載の発明において、
前記２つのフック部のそれぞれの、前記パイプを保持する円弧部は、該円弧部の開放口である切欠き口を通して前記パイプの側部への嵌合を可能とし、このために該切欠き口は前記パイプの外径を十分に通過させる大きさであるので、ロープ取付金具はパイプの側部からパイプ外周に嵌合することができ、該金具のパイプへの取付けは簡単かつ容易に行うことができ、該金具のパイプへの取付・取外しが容易化され、結果としてパイプへのロープの取付けに要する時間の一層の短縮化が図られる。
【００１６】
請求項３に係る発明によれば、前記請求項１または２に記載の発明において、前記ロープ取付金具が固定された前記パイプを該取付金具を介して他の部材に保持、もしくは連結させるためのロープ保持部の前記ロープ掛け構造は、板部材からなる前記ロープ保持部の互いに対向する両辺縁部に設けられたロープ挿入のための切り口を有する２つの孔を備え、一方の孔は、ロープ一端の結び端を掛け止めて該ロープを通過させる孔であり、他方の孔は、前記一方の孔を通過して両孔間を跨いで延長した該ロープを通過させる孔であるので、一端が結び目とされたロープは一方の孔の横方向切り口から該一方の孔に挿入され、このロープが両孔間を跨いで延長して他方の孔の横方向切り口から該他方の孔に挿入されることでロープ保持部にロープが掛け止められ、これにより他の部材に対してロープ取付金具を介して該金具の固定されたパイプを他の部材に適宜保持、もしくは連結することができる。またロープは結ぶ必要がないのでロープ掛けはきわめて単純である。
【発明を実施するための最良の形態】
【００１７】
本発明の実施形態１のロープ取付金具Ａを図１ないし図６に基づいて説明する。
【００１８】
図１（ａ）（ｂ）等の参照により理解できるように、ロープ取付金具Ａは、図４に図示される所定板厚の鋼板等の打ち抜き基材Ａ０を曲げ加工したフック部１６，１７を有するフレーム１と、図５（ｂ）に図示される弾性基材２０を曲げ加工した板バネ作用を有する弾性板部片２と、図６に図示される矩形の所定板厚の鋼板等の板部材３０からなるロープ保持部３等を備えている。
【００１９】
フレーム１は、中央基板部１０と、中央基板部１０の対向辺縁部１１ａ，１１ｂから曲折起立し、かつ該中央基板部１０の一面１０ａ側で互いに対向関係をもって平行に延出する一対のフック板部１２，１３を備えている。
【００２０】
フレーム１の一対のフック板部１２，１３には同じ形状であるが互いに逆向きに開放する円弧部１４，１５からなるフック部１６，１７が形成されており、フック板部１２，１３は、これらフック部１６，１７の互いに逆向きに開放する円弧部１４，１５が中央基板部１０の一面１０ａを挟んで一直線上に並ぶようにして前記フレーム１の一面１０ａの対向辺縁部１１ａ，１１ｂにそれぞれ配置されている。
【００２１】
つまり一対のフック板部１２，１３は、その円弧部１４，１５の円弧を描く中心点Ｏが互いに同一線上Ｌｏに位置付けられて（図１（ａ）参照）、フレーム１の一面１０ａ側の対向辺縁部１１ａ，１１ｂにそれぞれ配置されている。
【００２２】
フック板部１２，１３の２つのフック部１６，１７はパイプＢの保持に供され、特徴的には２つのフック部１６，１７の互いに逆向きとされる円弧部１４，１５の開放のための切欠き口１４ａ，１５ａが比較的大きく形成され、切欠き口１４ａ，１５ａの大きさは、通常金具Ａが取付けられるパイプＢの外径よりも大きくされ、これにより、切欠き口１４ａ，１５ａを通して該金具ＡはパイプＢの側部から挿入できるようになされている。
【００２３】
そして、フレーム１の中央基板部１０の一面１０ａの面上の略中央部には、すなわち、中央基板部１０の対向辺縁部１１ａ，１１ｂから曲折起立する一対のフック板部１２，１３間の該中央基板部１０の一面１０ａの面上略中央部には、図５（ａ）に図示される不均等な長さの屈曲片２１，２２を有して略コの字状に曲折された弾性部材からなる既述の弾性板部片２が取付けられている。
【００２４】
弾性板部片２の前記取付けは、コの字状に曲折された一方の短い屈曲片２１を中央基板部１０の一面１０ａの面上に当接状態として、かつその屈曲部２３を該一面１０ａの辺縁部１２ｂ側に寄せて、つまり、両フック板部１２，１３間で延長する一方の辺縁部１２ｂ側に寄せて、屈曲片２１の取付孔２４を介してなされている（図１，図２参照）。
【００２５】
なお、弾性板部片２の中央基板部１０への上述の取付けは、ロープ取付金具Ａのロープ保持部３である板部材３０の中央基板部１０への取付けと同時に行われるので、板部材３０の後述の取付け説明と併せて説明される。
【００２６】
弾性板部片２は、パイプＢにロープ取付金具Ａを固定するためのバネ部片であり、図１，３等に図示されるように、ロープ取付金具Ａの前記一対のフック部１６，１７をパイプＢの外周部Ｂ１にその弾性力で押圧して、つまり、略コの字状に曲折された弾性板部片２の長い屈曲片２２でパイプ外周部Ｂ１の一方側Ｂ２を押圧することで、パイプ外周部Ｂ１の他方側Ｂ３に前記フック部１６，１７の円弧部１４，１５内周を当接させてパイプＢにロープ取付金具Ａを固定させる部片である。
【００２７】
弾性板部片２の長い屈曲片２２による押圧でパイプ外周部他方側Ｂ３に当接するフック部円弧部１４，１５内周は、パイプ外周部他方側Ｂ３の周方向長さの所定域で支持される。
【００２８】
弾性板部片２には、図示されるところでないが、長い屈曲片２２によるパイプ外周部Ｂ１の最適な押圧のための当接位置の確保を可能とする位置調整構造を適宜備えることができる。位置調整構造は、例えば、弾性板部片２の中央基板部一面１０ａへの取付けに供される短い屈曲片２１に形成された後述の板部材３０であるロープ保持部３の突出部３３が嵌合する矩形の取付孔２４に換えたビスやボルトによるネジ止め用の長い取付孔で対応できる。
【００２９】
フレーム１の中央基板部１０の他面１０ｂの面上の中央部には、該中央部から、つまり上述のフック板部１２，１３が曲折起立される辺縁部である両辺縁部１１ａ，１１ｂから等距離の中央基板部１０裏側の面である他面１０ｂの面上の中央部に、より正確には中央部の線上Ｌ（図１，図４参照）に沿って所定の長さで延びる既述の板部材３０が該他面１０ｂの面上から起立して取付けられている。
【００３０】
板部材３０の前記他面１０ｂの面上への取付けは、板部材３０の上部辺縁部３２の３つの突出部３３が、中央基板部１０の３つの取付孔１９に圧入嵌合されることでなされている。
【００３１】
つまり、板部材３０の上部辺縁部３２の３つの矩形の突出部３３が中央基板部１０の中央部１０ｃの線上Ｌに沿って開口する３つの矩形の取付孔１９に、各突出部３３上端３４が僅かに突出する状態で圧入嵌合され、さらに３つの突出部３３の上端３４の図示右側の突出部上端３４に既述の弾性板部材２の短い屈曲片２１の矩形の取付孔２４が嵌合され、これら突出部上端３４をハンマー等で叩いて潰しカシメることで、板部材３０と弾性板部片２がそれぞれ中央基板部１０の他面１０ｂと一面１０ａの面上に同時に取付けられる。
【００３２】
なお、弾性板部片２のカシメは、長い屈曲片２２の長い孔２５から工具を差し込んでハンマー等で突出部上端３４を叩き潰すことで行われる。
【００３３】
板部材３０は、所定の板厚で所定の起立高さを有した矩形状の板であり、その板面の略中央部にはロープ取付金具Ａを介してパイプＢを図示されない他の部材に保持し、もしくは連結するための所定径の穴３１を備えている。穴３１には、ロープ取付金具Ａを介してパイプＢを他の部材に保持し、もしくは連結するための図示されない適宜ロープやワイヤ等が取付けられる。
【００３４】
したがって、この板部材３０は、ロープ取付金具Ａを介してパイプＢを他の部材に保持し、もしくは連結するために供されるロープ保持部３を形成しており、このロープ取付金具Ａは、例えば、パイプ組み立て足場におけるパイプ支柱間でターンバックル等の張設具を介在させて張設するロープやワイヤの該パイプ支柱への連結に供することで、組み立て足場のパイプ支柱を安定して支えることができる。
【００３５】
次に、本実施形態のロープ取付金具ＡのパイプＢへの取付けと取外しについて説明する。（図１，図２，図３等参照）
ロープ取付金具ＡのパイプＢへの取付けは、フック部１６，１７の円弧部１４，１５の円弧内空間Ｓの略中央部位置まで延びた弾性板部片２の自由状態とされた押し当て弾性片部、つまり長い屈曲片２２を手で押し下げ、フック板部１２，１３におけるフック部１６，１７の円弧内空間Ｓを大きく開放し、一対のフック部１６，１７の一方側から両フック部１６，１７をパイプＢに嵌合するようにしてロープ取付金具ＡをパイプＢの外周に嵌合する。
【００３６】
もしくは、長い屈曲片２２を、手で、あるいはロープ取付金具ＡのパイプＢ端部近傍の側部からの押し込みにより押し下げて、つまり該金具Ａの一方のフック部をパイプ端部近傍の側部外周から押し込むようにして嵌合し、例えばフック部１６の円弧部開放切欠き口１４ａをパイプＢの端部近傍側部の外周を通過させて該金具Ａを横方向からパイプＢに嵌合し、金具Ａの姿勢を調整してから他方のフック部、例えばフック部１７の円弧部１５をパイプＢの端部が通過するように該金具ＡをパイプＢの長手方向に移動して該金具ＡをパイプＢに嵌合する。
【００３７】
所定の嵌合位置まで送り込まれた金具Ａは、該嵌合位置に位置付けされ、押し下げ状態とされた長い屈曲片２２の押し下げが解除される。したがって、長い屈曲片２２はその弾性力で反発して戻りパイプ外周部Ｂ１の図示下方外周部Ｂ２に当接され該外周部Ｂ２を押圧する。
【００３８】
このパイプ外周部Ｂ２の押圧は、該押圧による押圧部の反対側のパイプ外周部Ｂ３をフック部１６，１７の円弧部１４，１５に強く押し付ける。つまり、パイプＢ周方向の外周部Ｂ３の所定域（周方向の所定長さに亘る領域）をフック部１６，１７の円弧部１４，１５に押し付ける（図１，図３参照）。
【００３９】
したがって、パイプＢの外周部Ｂ１とフック部１６，１７の円弧部１４，１５との接触域が大きく確保され、ロープ取付金具ＡはパイプＢに強固に嵌合固定される。
【００４０】
また、パイプＢに固定されたロープ取付金具Ａの取外しは、弾性部片である長い屈曲片２２によるパイプ外周部Ｂ１への押圧力の解除によりなされ、長い屈曲片２２をその弾性力に抗して手で押し下げることでなされる。
【００４１】
・実施形態２
本実施形態の別の実施形態２のロープ取付金具Ａ´（図７参照）が提案される。
【００４２】
実施形態２のロープ取付金具Ａ´は、実施形態１のロープ取付金具Ａにおいて、そのロープ保持部３に変形が加えられたものであり、ロープ取付金具Ａ´の他の構造部は、ロープ保持部３´の中央基板部１０´の他面１０´ｂ、つまり中央基板部１０´裏面への取付け構造も含めて実質実施形態１のロープ取付金具Ａと変わるところではない。したがって、実施形態１のロープ取付金具Ａと共通する構造部についてはその説明は省略される。
【００４３】
実施形態２のロープ取付金具Ａ´のロープ保持部３´は、図８に図示の所定板厚の鋼板等の矩形の板部材３０´からなり、ロープ保持部３´は、ロープ取付金具Ａ´を介してハイプＢを図示されない他の部材に保持、連結するためのロープ掛け構造を備えている。
【００４４】
ロープ保持部３´のロープ掛けのための構造は、ロープ取付金具Ａ´の中央基板部１０´の他面１０´ｂ、つまり中央基板部１０´の裏面から起立する上述の矩形状板部材３０´に形成された２つの孔３５´，３６´からなり、これらの孔３５´，３６´は板部材３０の対向両辺縁部３０´ａ，３０´ｂでそれぞれ開口する溝である切り口３７´，３８´を備えている。
【００４５】
そして、前記板部材３０´の両辺縁部３０´ａ，３０´ｂで開口する溝である孔３５´，３６´の切り口３７´，３８´が前記板部材３０´の対向両辺縁部３０´ａ，３０´ｂからそれぞれ板面中央に向かって切り込まれることでこれら２つの孔３５´，３６´はそれぞれ前記対向両辺縁部３０´ａ，３０´ｂに開口を有する切り口３７´，３８´を備えてかつ互いに所定の間隔をおいて該板部材３０´の板面に並設して設けられている。
【００４６】
２つの孔３５´，３６´の切り口３７´，３８´はそれぞれ、通常使用されるロープの直径より僅かに広い幅を有しており、２つの孔３５´，３６´の一方は、その切り口３７´の幅より大きな直径を備える孔３５´であり、この孔３５´は点線図示のロープ一端の結び端を掛け止めて該ロープを通過させる孔３５´である。他方の孔３６´は、その切り口３８´の幅と略同じ直径を備える孔３６´であり、前記一方の孔３５´を通過し両孔３５´，３６´間を跨ぐように延長した該ロープを通過させる孔３６´である。
【００４７】
ロープ取付金具Ａ´における上述のロープ保持部３´によれば、結び端をその一端に持つロープは、切り口３７´を通して孔３５´の横方向から該孔３５´内に通される。該孔３５´内に通されたロープはその一端の結び端が孔３５´で係止され、ロープは引張っても該孔３５´から抜けて外れることはない。
【００４８】
孔３５´から延長したロープは、両孔３５´，３６´間を跨いで切り口３８´を通して横方向から孔３６´に通され、該孔３６´から図示されない他部材へと導かれるために延長し、例えば、組み立て式パイプ足場における一方パイプ支柱と他方パイプ支柱間をターンバックルを介在して延長して両支柱を支えるために該支柱間で張設されるロープとして使用され、このロープ保持部３´を備えるロープ取付金具Ａ´は有用なものである。
・次に、本実施形態１，２のロープ取付金具Ａ，Ａ´の効果について説明する。
【００４９】
実施形態１，２のロープ取付金具Ａ，Ａ´に共通する効果としては、
パイプＢに固定されるロープ取付金具Ａ，Ａ´は、２つのフック部１６，１７もしくは１６´，１７´により互いに逆方向からパイプＢを抱えて、弾性板部片２もしくは２´による押圧力の付与でパイプＢの周方向外周部Ｂ１がフック部１６，１７もしくは１６´，１７´の円弧部１４，１５もしくは１４´，１５´に押し当てられて取付金具ＡもしくはＡ´がパイプＢに固定される。
【００５０】
したがって、パイプ外周部Ｂ１と円弧部１４，１５もしくは１４´，１５´との接触域（周方向の所定長さに亘る領域）が十分に確保されるので強固なロープ取付金具Ａ，Ａ´のパイプＢへの固定が達成される。また、押圧力の解除でパイプＢへの固定が簡単に解除されるから取付金具Ａ，Ａ´のパイプＢへの取付・取外しが容易化される。
【００５１】
つまり、弾性板部片２，２´の押し下げと、押し下げの解除という単純な操作で、ロープ取付金具Ａ，Ａ´のパイプＢへの取付・取外しが行われる。したがって、ロープ取付金具Ａ，Ａ´そのものの使い勝手はきわめて良好である。
【００５２】
また、パイプＢに取付けられるロープ取付金具Ａ，Ａ´のフック部１６，１７もしくは１６´，１７´の円弧部１４，１５もしくは１４´，１５´は、該円弧部１４，１５もしくは１４´，１５´の円弧開放口である切欠き口１４ａ，１５ａもしくは１４´ａ，１５´ａが、該ロープ取付金具Ａ，Ａ´が通常固定されるパイプＢを十分に通過させる大きさを備えるので、切欠き口１４ａ，１５ａもしくは１４´ａ，１５´ａを通したパイプＢの側部（正確にはパイプ端部近傍におけるパイプ側部）からの金具Ａ，Ａ´の嵌合を可能として、ロープ取付金具Ａ，Ａ´のパイプＢへの取付・取外しが容易化される。
【００５３】
また、ロープ取付金具Ａ，Ａのロープ保持部３，３´に予めロープを掛け止めておくことで、パイプＢへの金具Ａ，Ａ´の取付・取外しを通してロープをパイプＢに簡単に取付・取外しすることができる。
【００５４】
したがって、例えば、パイプ足場の組み立てにおけるロープ取付金具Ａ，Ａ´の適用において足場組み立ての作業効率を大幅に向上させることができ、組み立て時間の短縮化を図り、強いては足場組み立てのコストの低減化を図ることができる。
【００５５】
さらに、実施形態２のロープ取付金具Ａ´のロープ保持部３´は、一端が結び端とされたロープ（図７の図示点線参照）が横方向切り口３７´から一方の孔３５´に挿入され、このロープが両孔３５´，３６´間を跨いで延長して横方向切り口３８´から他方の孔３６´に挿入されるというロープ掛け構造を備える。
【００５６】
したがって、ロープを結ぶ必要のない比較的単純なロープ掛けにより確実なロープ結合が確保されるので、ロープ取付金具Ａを介してパイプＢを他部材に容易に保持、連結させることができる。例えば、上述のパイプ足場の組み立てにおける使用においてきわめて有用である。
【００５７】
なお、本発明のロープ取付金具Ａ，Ａ´は、パイプ足場以外の様々な使用目的のパイプＢやパイプ類似物への取付けにも供され、その優れた取付・取外しの機能が発揮されるものである。
【図面の簡単な説明】
【００５８】
【図１】（ａ）（ｂ）は、本発明の実施形態１のロープ取付金具を示す図であり、（ａ）は、正面図、（ｂ）は、（ａ）のＸ−Ｘ断面図である。
【図２】は、本発明の実施形態１のロープ取付金具と該取付金具が取付けられるパイプを示す斜視図である。
【図３】は、本発明の実施形態１のロープ取付金具がパイプに取付けられた状態を示す斜視図である。
【図４】は、本発明の実施形態１のロープ取付金具の一部品の打ち抜き基材を示す図である。
【図５】は、本発明の実施形態１のロープ取付金具の一部品と該部品の基材を示す図であり、（ａ）は、部品の側面図、（ｂ）は、部品基材を示す図である。
【図６】は、本発明の実施形態１のロープ取付金具の一部品を示す図である。
【図７】は、本発明の実施形態２のロープ取付金具をその正面図で示す図である。
【図８】は、本発明の実施形態２のロープ取付金具の一部品を示す図であり、図６に図示される部品の対応部品を示す図である。
【符号の説明】
【００５９】
Ａ    ロープ取付金具
Ｂ    パイプ
１    フレーム
２    弾性板部片
３    ロープ保持部
１０  中央基板部
１２，１３  フック板部
１４，１５  円弧部
１６，１７  フック部
【図１】
2008038390.tif 000003
【図２】
2008038390.tif 000004
【図３】
2008038390.tif 000005
【図４】
2008038390.tif 000006
【図５】
2008038390.tif 000007
【図６】
2008038390.tif 000008
【図７】
2008038390.tif 000009
【図８】
2008038390.tif 000010